(57)【要約】【課題】計時装置の時刻表示の修正が使用地域を限らず、かつ  自動的にでき、さらに、低電力が要求されるような場合でも問題なく時刻修正可能な、計時装置及び計時装置の時刻修正方法を提供する。【解決手段】位置情報衛星１５ａ等の信号から地域情報５１１を取得し、対応する電波信号４１１を選択し、受信に要する消費電力が低い順に受信する受信部１１と、受信部１１で受信された電波信号の時刻情報５３１に基づいて、時刻修正情報生成部３３で生成した時刻修正情報５２１に基づき、表示時刻情報を修正する表示時刻情報修正部３４を有する計時装置１０及び計時装置の時刻修正方法。【選択図】図２
2008051697.tif 000002
【特許請求の範囲】
【請求項１】
地球を周回する位置情報衛星を捕捉し、この捕捉した前記位置情報衛星からの衛星信号を受信して、自己の位置情報を測位する測位部と、
前記位置情報に基づいて地域情報を取得する地域情報取得部と、
前記地域情報に対応して受信可能な電波信号を選択する電波信号選択部と、
前記電波信号を受信するための受信部と、
前記受信部で受信された前記電波信号の時刻情報に基づいて時刻修正情報を生成する時刻修正情報生成部と、
前記時刻修正情報に基づき表示時刻情報を修正する表示時刻情報修正部と、
を有し、
前記受信部は、前記電波信号選択部で選択した前記電波信号を、前記電波信号の受信に要するための消費電力が低い順に受信する構成となっていることを特徴とする計時装置。
【請求項２】
前記衛星信号に含まれる位置情報衛星時刻情報を取得する位置情報衛星時刻情報取得部と、
前記地域情報に基づく時刻差情報が格納されている時刻差情報格納部と、
を有し、
前記表示時刻情報修正部が、前記位置情報衛星時刻情報と前記時刻差情報とに基づいて表示時刻情報を修正する構成となっていることを特徴とする請求項１に記載の計時装置。
【請求項３】
前記電波信号は、電波局から送信される標準電波信号とＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする請求項１または請求項２に記載の計時装置。
【請求項４】
前記位置情報衛星が、ＧＰＳ（Ｇｌｏｂａｌ  Ｐｏｓｉｔｉｏｎｉｎｇ  Ｓｙｓｔｅｍ）衛星であることを特徴とする請求項１乃至請求項３のいずれかに記載の計時装置。
【請求項５】
地球を周回する位置情報衛星からの衛星信号を受信する測位部が、前記位置情報衛星を捕捉して前記測位部の位置情報を測位する測位工程と、
地域情報取得部が、前記位置情報に基づいて地域情報を取得する地域情報取得工程と、
電波信号選択部が、前記地域情報に対応して受信可能な電波信号を選択する電波信号選択工程と、
受信部が、前記電波信号を受信する電波信号受信工程と、
前記電波信号受信工程で受信した前記電波信号の時刻情報に基づいて時刻修正情報を生成する時刻修正情報生成工程と、
前記時刻修正情報生成工程で生成された時刻修正情報に基づき表示時刻情報を修正する表示時刻情報修正工程と、
を有し、
前記電波信号受信工程は、前記受信部が、前記電波信号選択工程で選択した前記電波信号を、前記電波信号の受信に要するための消費電力が低い順に受信することを特徴とする計時装置の時刻修正方法。
【発明の詳細な説明】
【技術分野】
【０００１】
本発明は、例えばＧＰＳ衛星等からの信号に基づいて自己の測位位置を取得して時刻修正を行う計時装置及び計時装置の時刻修正方法に関するものである。
【背景技術】
【０００２】
自己の位置を測位するためのシステムであるＧＰＳ（Ｇｌｏｂａｌ  Ｐｏｓｉｔｉｏｎｉｎｇ  Ｓｙｓｔｅｍ）では、地球を周回する軌道を有するＧＰＳ衛星が用いられており、このＧＰＳ衛星には、原子時計が備えられ、極めて正確な時間を計測している。
そして、ＧＰＳ受信装置は、高精度の測位実現の為に、ＧＰＳ衛星内の基準時計である原子時計のデータを用いてＧＰＳ受信装置内の時計の時刻修正を行う方法が種々提案されてきている。
【０００３】
ＧＰＳ衛星からの信号と同期する際に、ＧＰＳ衛星からの信号の伝播遅延時間の補正値データを予めＧＰＳ受信装置内に記憶させておく。そして、受信したＧＰＳ衛星からの信号に含まれる時刻データを、この記憶された補正値データで補正したタイミングで補正時刻データとして出力するようにした電子時計が提案されている。そして、更に、この電子時計の表示は、その時計内部に予め各国の地域情報や時差情報等を記憶情報として記憶させておき、その記憶情報で、先の補正時刻データを更に補正し、各国の時刻に合わせる方法が提案されている。（特許文献１）
また、ＧＰＳ衛星を捕捉して、ＧＰＳ衛星からの信号を受信し、ＧＰＳ受信装置の現在位置を測位する。そして、その測位した位置において、受信可能な電波局からの標準電波を受信して、標準電波に含まれるコードデータを取得する。そして、このコードデータに基づいて時刻修正を行う方法が提案されている。（特許文献２）
【特許文献１】特開平１０−１０２５１号公報（段落「０００１」等）
【特許文献２】特開２０００−１３６９４１号公報（段落「０００１」等）
【発明の開示】
【発明が解決しようとする課題】
【０００４】
しかし、特許文献１では、ＧＰＳ衛星を捕捉できない環境、例えば、屋内等、に移動しているような場合には、時刻修正を行うことが困難である。このため、常に屋外の環境にあるとは限らない時計等へ搭載されている場合は、この時刻修正の方法のみでは不十分である。そして、ＧＰＳ衛星のみの時刻修正の場合は、予め記憶された情報に基づいて時刻修正を行うので、サマータイム等を含む実際のローカルタイム（使用地域の標準時刻）への時刻修正が困難であるとの問題もある。また、特許文献２では、標準電波を使用するため、標準電波の使用可能な地域が限られてしまう。従って、世界各地に移動するような可能性のある時計等の場合では、対応できない地域も生じてしまう。そのため、自動で、常に、時刻修正を行うことが困難であるという問題があった。
【０００５】
そこで、本発明は、使用地域を限ること無く、どのような使用地域であっても、計時装置の時刻表示を使用地域の標準時刻に自動的に高精度に時刻修正でき、かつ、低電力が要求されるような場合でも受信可能電波を選択して問題なく時刻修正可能であるような、計時装置及び計時装置の時刻修正方法を提供することにある。
【課題を解決するための手段】
【０００６】
前記課題は、本発明によれば、地球を周回する位置情報衛星を捕捉し、この捕捉した前記位置情報衛星からの衛星信号を受信して、自己の位置情報を測位する測位部と、前記位置情報に基づいて地域情報を取得する地域情報取得部と、前記地域情報に対応して受信可能な電波信号を選択する電波信号選択部と、前記電波信号を受信するための受信部と、前記受信部で受信された前記電波信号の時刻情報に基づいて時刻修正情報を生成する時刻修正情報生成部と、前記時刻修正情報に基づき表示時刻情報を修正する表示時刻情報修正部と、を有し、前記受信部は、前記電波信号選択部で選択した前記電波信号を、前記電波信号の受信に要するための消費電力が低い順に受信する構成となっていることを特徴とする計時装置により達成される。
【０００７】
前記構成によれば、地球を周回する位置情報衛星を捕捉した位置情報衛星からの衛星信号を受信して、自己の位置情報を測位する測位部と、位置情報に基づいて地域情報を取得する地域情報取得部と、地域情報に対応して受信可能な電波信号を選択する電波信号選択部と、電波信号を受信するための受信部と、受信部で受信された電波信号の時刻情報に基づいて時刻修正情報を生成する時刻修正情報生成部と、時刻修正情報に基づき表示時刻情報を修正する表示時刻情報修正部とを有し、前記受信部は、前記電波信号選択部で選択した前記電波信号を、前記電波信号の受信に要するための消費電力が低い順に受信する構成となっている。
このため、計時装置のユーザーが、時差の異なる国等に移動した場合であっても、ＧＰＳ衛星等の位置情報衛星を捕捉して自己の位置情報を測位し、この位置情報に基づき、その位置で受信可能な電波信号を選択し、かつ、受信の際の消費電力の低い順に受信部で受信し、その電波信号の時刻情報に基づき時刻修正情報を生成して表示時刻情報の修正を行うことができる。
従って、どの地域に移動しても、その地域情報に基づいて、時刻情報を有する電波信号を、消費電力の低い順に選択して受信するので、消費電力を抑えることができ、高精度な時刻修正情報を得ることができる。
【０００８】
好ましくは、前記衛星信号に含まれる位置情報衛星時刻情報を取得する位置情報衛星時刻情報取得部と、前記地域情報に基づく時刻差情報が格納されている時刻差情報格納部と、を有し、前記表示時刻情報修正部が、前記位置情報衛星時刻情報と前記時刻差情報とに基づいて表示時刻情報を修正する構成となっていることを特徴とする計時装置である。
【０００９】
前記構成によれば、表示時刻情報修正部が、衛星信号に含まれる位置情報衛星時刻情報を取得する位置情報衛星時刻情報取得部と、地域情報取得部の地域情報に基づく時刻差情報を格納する時刻差情報格納部の、位置情報衛星時刻情報と時刻差情報に基づいて表示時刻情報を修正する構成をとっている。このため、表示時刻情報修正部は電波信号に基づいて生成された時刻修正情報により表示時刻情報を修正する構成と、位置情報衛星時刻情報と時刻差情報に基づく表示時刻情報を修正する構成とを備えるので、電波信号の受信が仮にうまくいかない場合でも表示時刻情報を修正することができ、ユーザーにとって便宜である。
【００１０】
好ましくは、前記電波信号は、電波局から送信される標準電波信号とＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする計時装置である。
【００１１】
前記構成によれば、電波信号は、電波局から送信される標準電波信号とＣＤＭＡ方式の携帯電話通信網で基地局から発信される信号であり、地域情報に対応して受信可能なこれらの電波信号を電波信号選択部が選択する構成である。このため、電波信号選択部で選択される信号が電波局から送信される標準電波信号とＣＤＭＡ方式の携帯電話通信網で基地局から発信される信号とであるので、地域情報に対応した時刻差情報も含むこれらの信号を活用して、高精度の時刻修正情報を得ることができる。
【００１２】
好ましくは、前記位置情報衛星が、ＧＰＳ（Ｇｌｏｂａｌ  Ｐｏｓｉｔｉｏｎｉｎｇ  Ｓｙｓｔｅｍ）衛星であることを特徴とする計時装置である。
【００１３】
前記構成によれば、前記位置情報衛星が、ＧＰＳ衛星であり、このＧＰＳ衛星を捕捉し、この捕捉したＧＰＳ衛星からのＧＰＳ衛星信号を受信して、自己の位置情報を測位して、この位置情報から得られる地域情報に基づいて、時刻修正情報を得るので、広範囲で活用でき、高精度な情報を得ることが可能となる。
【００１４】
前記課題は、本発明によれば、地球を周回する位置情報衛星からの衛星信号を受信する測位部が、前記位置情報衛星を捕捉して前記測位部の位置情報を測位する測位工程と、地域情報取得部が、前記位置情報に基づいて地域情報を取得する地域情報取得工程と、電波信号選択部が、前記地域情報に対応して受信可能な電波信号を選択する電波信号選択工程と、受信部が、前記電波信号を受信する電波信号受信工程と、前記電波信号受信工程で受信した前記電波信号の時刻情報に基づいて時刻修正情報を生成する時刻修正情報生成工程と、前記時刻修正情報生成工程で生成された時刻修正情報に基づき表示時刻情報を修正する表示時刻情報修正工程と、を有し、前記電波信号受信工程は、前記受信部が、前記電波信号選択工程で選択した前記電波信号を、前記電波信号の受信に要するための消費電力が低い順に受信することを特徴とする計時装置の時刻修正方法により達成される。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい旨の記載がない限り、これらの態様に限られるものではない。
【００１６】
図１は、本発明に係る計時装置である例えば、ＧＰＳ受信装置付き腕時計１０（以下「ＧＰＳ付き腕時計」という）を示す概略図である。
図１に示すように、ＧＰＳ付き腕時計１０は、その表面に文字盤１２、針１３が配置される時刻表示部１６と、各種メッセージが表示されるＬＣＤ表示パネル等からなるディスプレイ１４が形成されている。そして、ＧＰＳ付き腕時計１０の側面部には、ディスプレイ１４のメッセージの指示によりユーザーが操作するユーザー操作部１７も形成されている。
【００１７】
さらに、ＧＰＳ付き腕時計１０の側面部には、ＧＰＳ衛星１５ａ等からの信号を受信するアンテナ１１が形成されている。このアンテナ１１は、後述するように、ＧＰＳ衛星１５ａ等からの信号を受信するほか、各周波数帯の電波信号を受信する構成となっている。
ここで、図２では、主にＣＤＭＡ方式の携帯電話通信網で基地局から発信される信号（以下「ＣＤＭＡ信号」）とＧＰＳ衛星１５ａ等からの衛星信号（以下「ＧＰＳ衛星信号」）の周波数帯であるＵＨＦ帯を受信するアンテナ１１ａと長波・短波等の周波数帯である標準電波を受信するアンテナ１１ｂとに分けているが、図１では、便宜上、アンテナ１１とした。また、アンテナ１１は各周波数帯の電波信号を受信するために各電波信号ごとに別々のものを設けてもよい。
なお、ＧＰＳ衛星１５ａ等は、位置情報衛星の一例となっている。
【００１８】
図２は、ＧＰＳ付き腕時計１０の主なハードウエア構成等を示す概略ブロック図である。
以下、図２に示す各構成について説明する。
図２に示すように、ＧＰＳ付き腕時計１０は、アンテナ１１ａおよび１１ｂ、時刻表示装置２１、ＣＤＭＡ信号・ＧＰＳ衛星信号等の受信装置であるＵＨＦ帯受信モジュール１８、長波・短波の受信装置である標準電波帯受信モジュール１９、各記憶部２２乃至２４、ユーザー操作部１７等及び制御部（ＣＰＵ：Ｃｅｎｔｒａｌ  Ｐｒｏｃｅｓｓｉｎｇ  Ｕｎｉｔ）２０を備える。また、時刻表示装置２１は、文字盤１２、針１３を備える時刻表示部１６等を備え、図示はしないが、リアルタイムクロック（ＲＴＣ）や温度補償回路付き水晶発振回路（ＴＣＸＯ）等も有している構成となっている。
この制御部２０で各装置等を動かして文字盤１２、針１３を備える時刻表示部１６の表示時刻を修正する構成であり、コンピュータとしての機能も発揮する構成となっている。
つまり、本実施の形態におけるＧＰＳ付き腕時計１０は、いわゆる電子時計となっている。ここで、ＵＨＦ帯受信モジュール１８、標準電波帯受信モジュール１９としたが、これらは、各電波信号ごとに別々の受信モジュールとしても良く、各電波信号ごとに処理できるものであれば１つの受信モジュールであってもよい。
【００１９】
また、説明の便宜上、各構成を簡略化したが、後述するように、このＧＰＳ付き腕時計１０は、ＧＰＳ衛星の受信装置である測位部で、ＧＰＳ衛星１５ａ等を捕捉して、この捕捉したＧＰＳ衛星１５ａ等からの衛星信号を受信して、自己の位置情報を測位すると共に、ＧＰＳ衛星１５ａ等の衛星信号に含まれる原子時計データを取得して、測位データとして格納する構成となっている。
そして、この測位データに基づいて、後述するように、地域情報を得て、各地域情報に対応する電波信号の情報を取得して、この取得した電波信号の情報に基づいて、時刻修正情報を生成し、この時刻修正情報から表示時刻情報を修正するので、時刻表示装置２１に備わる時刻表示部１６の表示の修正を精度よく、低消費電力で行うことができる。
【００２０】
ここで、測位部について、具体的に説明すると、測位部には、先に説明したように、アンテナ１１やＵＨＦ帯受信モジュール１８内の図示しないフィルタ（ＳＡＷ）、ＲＦ、ベースバンド等を有している。すなわち、測位部は、図１のＧＰＳ衛星１５ａ等から衛星信号を受信し、アンテナ１１からＵＨＦ帯受信モジュール１８内のフィルタやＲＦを介してベースバンドで信号として取り出される構成となっている。
【００２１】
また、受信部は、ＵＨＦ帯受信モジュール１８のＣＤＭＡ信号を処理する構成と、長波・短波等の周波数帯である標準電波帯を受信する標準電波帯受信モジュール１９とを備え、アンテナ１１も備える構成となっている。
【００２２】
つまり、本実施形態のＧＰＳ付き腕時計１０は、測位部で、ＧＰＳ衛星からの衛星信号を受信して自己の位置情報を測位し、その測位結果に基づいて、受信部から受信する電波信号を選択し、受信した受信電波のコードデータから、時刻修正情報を生成し、その情報に基づいて時刻表示装置２１の時刻表示部１６の表示時刻情報を修正する構成となっている。
【００２３】
図３は、図１等のＧＰＳ付き腕時計１０の主なソフトウエア構成を示す概略図である。図３に示すように、ＧＰＳ付き腕時計１０は、制御部２０を介して、各種プログラム格納部３０及び第１データ記憶部４０と第２データ記憶部５０が接続されている。この各種プログラム格納部３０及び第１データ記憶部４０と第２データ記憶部５０は、実際にこのように格納されていることを示すものではなく、説明の都合上、分けて記載したものである。
ここで、図２との対応関係について説明すると、図２の各記憶部２２乃至２４は図３の第１データ記憶部４０と第２データ記憶部５０内の各データのうちのいずれかに該当するものであり、図３で示すものの代表的なものを表示している。従って、図２は各記憶部２２乃至２４に記載されている内容だけに限定しているものではない。
【００２４】
なお、図３の第１データ記憶部４０には、主に予め格納されているデータをまとめて示した。また、第２データ記憶部５０には、第１データ記憶部４０内のデータ等を各種プログラム格納部３０内のプログラムで処理した後のデータ等を主に示した。
図４は、図３の各種プログラム格納部３０内のデータを示す概略図であり、図５は、図３の第１データ記憶部４０内のデータを示す概略図である。また、図６は、図３の第２データ記憶部５０内のデータを示す概略図である。
図７乃至図９は、本実施の形態にかかるＧＰＳ付き腕時計１０の主な動作等を示す概略フローチャートである。
【００２５】
以下、図７及び図９のフローチャートにしたがって本実施の形態に係るＧＰＳ付き腕時計１０の動作等を説明しつつ、その関連で図４乃至図６の各種プログラムや各種データを説明する。
先ず、図７で全体の動作を説明しつつ、図８及び図９で、受信可能な電波を選択し、受信を実行して時刻修正を行う際の動作を説明していく。
ここで、後述する動作説明において、重複部分については、説明を省略し、異なる点を中心に説明していく。
【００２６】
まず、図７のＳＴ１で、図４のＧＰＳ衛星捕捉プログラム３１を起動させ、ＧＰＳ衛星のスキャンを開始し、捕捉可能なＧＰＳ衛星１５ａ等から衛星信号を受信する。この動作が必要となるのは、例えば、ＧＰＳ付き腕時計１０のユーザーが日本から海外に移動し、時差がある国等に移動した場合である。
この場合は、ＧＰＳ付き腕時計１０の自己の位置が未知となるので、先ず、ＧＰＳ衛星捕捉プログラム３１を起動させ、ＧＰＳ衛星のスキャンを開始し、捕捉可能なＧＰＳ衛星１５ａ等から衛星信号を受信する。そして、ＳＴ２で自己位置を測位し、ＧＰＳ時刻等を取得する。
ＧＰＳ時刻等は、ＧＰＳ衛星１５ａ等の搭載している原子時計等のデータ（ＧＰＳ時刻）やＵＴＣ（世界協定時）データ等を含むものである。そして、このＧＰＳ時刻は、毎週日曜日の０時から経過時間が秒で表示され、翌週の日曜日の０時に０に戻るようになっている。そして、この１週間についてはＧＰＳの週番号が付されているので、週番号と経過時間（秒）のデータを取得することで、受信側はＧＰＳ時刻を取得できる構成となっている。このＧＰＳ時刻の起点となるのが、ＵＴＣ（世界協定時）となっている。また、このＵＴＣ（世界協定時）は地球の自転周期とのずれを補償する為、１年に１度程度閏秒を挿入または削除しているが、ＧＰＳ時刻はこの閏秒を反映しないで、前記の１週間を刻んでいる。そして、ＵＴＣデータ等は、閏秒に関するデータ等を含む構成となっている。
つまり、本実施形態のＧＰＳ付き腕時計１０は、ＧＰＳ衛星１５ａ等から衛星信号を受信して、測位した自己位置である位置情報、およびＧＰＳ時刻等を利用して、後述のような、時刻情報を取得できる構成となっている。そして、これらの位置情報および時刻情報を図６の測位データ格納部５１にそれぞれ測位位置データ５１１及び測位時刻データ５１２として格納する。測位位置データ５１１は、ＧＰＳ付き腕時計１０の位置情報である、主に緯度・経度情報等である。
【００２７】
ここで、ＧＰＳ衛星１５ａ等を利用した測位位置データ５１１、測位時刻データ５１２の取得について説明する。
ＧＰＳ衛星１５ａ等は、地球の上空を所定の軌道で周回している。そして、このようなＧＰＳ衛星１５ａ等が衛星信号を発信しており、ＧＰＳ受信装置を有すると、その信号を受信できるようになっている。この衛星信号は光の速度で送信されており、その際、衛星信号がＧＰＳ衛星１５ａ等からＧＰＳ受信装置に到達するまでの時間である、いわゆる伝播遅延時間が分かると、ＧＰＳ衛星１５ａ等とＧＰＳ受信装置までの距離、擬似距離が分かることになる。
従って、このようなＧＰＳ衛星１５ａ等を３個以上捕捉し、これらの擬似距離が分かった場合は、３連立方程式で計算すると、ＧＰＳ受信装置の位置が３次元（Ｘ，Ｙ，Ｚ）で明らかになり、これで、少なくともＧＰＳ受信装置の自己位置を測位することができることとなる。
【００２８】
ところで、ＧＰＳ受信装置の有する時計は不正確であるので、４個以上のＧＰＳ衛星１５ａ等を捕捉して、ＧＰＳ受信装置の測位位置（Ｘ，Ｙ，Ｚ）と時刻（Ｔ）を加え、未知数を４個として、４連立方程式で計算すると、時刻（Ｔ）が判明する。この時刻（Ｔ）は、ＧＰＳ時刻等に基づくものであり、ＧＰＳ衛星１５ａ等の搭載している原子時計等のデータ（ＧＰＳ時刻）に基づく高精度な時刻（Ｔ）情報である。この時刻（Ｔ）情報を、測位時刻データ５１２として、測位データ格納部５１に格納しておく。
そして、測位位置データ５１１として、ＧＰＳ受信装置の測位位置（Ｘ，Ｙ，Ｚ）の位置情報である緯度・経度等として格納する。
【００２９】
次に、ＳＴ３に進み、図４の受信可能電波時刻修正モード選択プログラム３２を開始して、ＳＴ２で図６の測位データ格納部５１に格納した測位位置データ５１１と、図５の受信可能電波時刻修正モード選択基準データ格納部４１内の受信可能電波／地域対応データ４１１を対応させて、測位位置データ５１１に該当する地域を読み出し、当該地域に該当する受信可能電波選択データを得る。
ここで、受信可能電波時刻修正モード選択基準データ格納部４１内の受信可能電波／地域対応データ４１１について、図１０を参照しながら説明する。
図１０は、受信可能電波／地域対応データの一例を示す、データテーブルである。
左から（ａ）のＧＰＳ測位結果（座標）とあるのは、ＳＴ２で得られた測位位置データ５１１の緯度・経度等に該当するものであり、この緯度・経度等より、（ｂ）に書かれた相当国、つまり、地域対応データを得ることができる。そして、この地域対応データに対して（ｄ）、（ｅ）、（ｆ）・・でそれぞれ、受信可能な電波情報が記憶されているので、地域対応データを得られると、受信可能電波を選択することができる。そして、この（ｄ）、（ｅ）、（ｆ）・・は、それぞれ当該地域での受信可能電波を示すと共に、（ｄ）、（ｅ）、（ｆ）・・の順で、順番に選択していくと、消費電力の少ない順に受信可能電波を選択していくことができるようになっている。
一例を挙げれば、例えば、測位位置データが、（ｘ７、ｙ８）であると、受信可能電波／地域対応データのデータテーブルを参照すると、（ａ）より（ｘ７−◇―ｘ８、ｙ７−◆―ｙ８）の範囲内に該当するので、当該地域は、（ｂ）の相当国では中国である。従って、ＧＰＳ付き腕時計１０はユーザーと共に中国に移動していることになる。そして、中国で受信可能な電波は、（ｄ）、（ｅ）、（ｆ）・・・より、長波長（図では「長波」と表記）、短波長（図では「短波」と表記）、ＣＤＭＡ信号（図では「ＣＤＭＡ２０００」と表記）、ＧＰＳ衛星信号（図では「ＧＰＳ」と表記）の順に選択可能であることが分かる。
【００３０】
従って、ＳＴ４では、ＳＴ３で選択された受信可能電波選択データを図６の受信可能電波選択データ記憶部５４に、消費電力の少ない順に優先順位を付けて記憶していく。たとえば、上述した中国であれば、長波長、短波長、ＣＤＭＡ信号、ＧＰＳ衛星信号の順に受信可能電波選択データ記憶部５４に記憶していく。
そして、ＳＴ５に進み、ＳＴ４で選択され記憶された受信可能電波選択データ記憶部５４内の受信可能電波が、ＧＰＳ衛星信号以外の電波受信が可能であるかを判断する。
つまり、受信可能電波選択データ記憶部５４の受信可能電波として記憶されているものがＧＰＳ衛星信号のみである場合か否かを判断する。そして、ＧＰＳ衛星信号のみである場合、例えば、図１０の受信可能電波／地域対応データのデータテーブルで、測位位置データ５１１の（ｂ）の相当国が、アフリカ大陸一帯である場合、受信可能電波として選択できるのは、ＧＰＳ衛星信号のみである。従って、この場合は以下のＳＴ６に進まず、ＳＴ９に進む。
【００３１】
ＳＴ９で、図４の測位位置時差情報取得プログラム３６を開始して、測位位置データ５１１を参照して、図５の測位位置時差情報データ格納部４２から、当該測位位置データ５１１に対応する地域の、ローカルタイム等を含む測位位置時差情報データ４２１を抽出して、測位位置時差情報取得プログラム３６を終了する。  
次に、ＳＴ１０に進み、図４の測位時刻データ／時刻修正プログラム３５を開始して、測位時刻データ５１２を参照して、これに測位位置時差情報取得プログラム３６で取得した当該測位位置データ５１１に対応する地域の、ローカルタイム等を含む測位位置時差情報データ４２１を反映させ、時刻修正データを取得する。そして、この時刻修正データを時刻修正データ格納部５２に格納し、時刻修正データ５２１とする。
【００３２】
次いで、ＳＴ１１により、図４のマニュアル操作指示プログラム３７を開始して、ディスプレイ１４に、ＧＰＳ衛星を捕捉し、この捕捉したＧＰＳ衛星からの衛星信号を受信して、自己の位置、ＧＰＳ付き腕時計１０の現在位置を測位した、測位位置データ５１１と測位時刻データ５１２を使用して、生成した時刻修正情報である時刻修正データ５２１、つまり、「ＧＰＳ情報による時刻修正である」旨の表示を行い、表示時刻情報を修正するか否かの表示をしてユーザーに判断させる。
そして、ＳＴ１２により、ＧＰＳ衛星を捕捉し、この捕捉したＧＰＳ衛星からの衛星信号を受信して、自己の位置、ＧＰＳ付き腕時計１０の現在位置を測位した、測位位置データ５１１と測位時刻データ５１２を使用して、生成した時刻修正情報である時刻修正データ５２１により時刻修正を行うことを選択した場合は、ＳＴ８に進み、表示時刻修正部である図４の時刻表示修正プログラム３４を開始して、時刻修正データ５２１に基づき、時刻表示装置２１の時刻表示部１６の時刻表示を修正して表示し、終了する。
しかし、ＳＴ１２で、逆に、ユーザーが、ＧＰＳ衛星を捕捉し、この捕捉したＧＰＳ衛星からの衛星信号を受信して、自己の位置、ＧＰＳ付き腕時計１０の現在位置を測位した、測位位置データ５１１と測位時刻データ５１２を使用して、生成した時刻修正情報である時刻修正データ５２１により時刻修正を行うことを選択しなかった場合は、時刻表示装置２１の時刻表示部１６の時刻表示の修正はせずに、終了する。この場合、ＧＰＳ付き腕時計１０の時刻表示は、移動前の時刻表示で、時差情報等を反映していない状態である。また、選択しない場合であっても、時刻修正情報を保持するような構成とすることで、以降、ユーザーの任意操作により時刻表示の修正が可能となる。
【００３３】
次に、上述した、ＳＴ５に戻り、ＧＰＳ衛星からの衛星信号以外の電波受信が可能であるかを判断する。つまり、ＳＴ４で選択され記憶された受信可能電波選択データ記憶部５４内の受信可能電波、例えば、上述した中国の場合は、受信可能電波選択データ記憶部５４内の受信可能電波は、ＧＰＳ衛星信号以外に、長波長、短波長、ＣＤＭＡ信号、ＧＰＳ衛星信号の順に記憶されている場合は、ＳＴ５では、ＧＰＳ衛星信号（ＧＰＳ衛星からの衛星信号である受信信号）以外の電波受信が可能であるとして、ＳＴ６に移る。
ここで、このＳＴ６での主な動作を図８及び図９の概略フローチャートを使用して、例えば中国を例に説明する。
【００３４】
ＳＴ６では、図４の受信可能電波時刻修正モード実行プログラム３３が開始され、図５の受信可能電波選択時刻修正モード実行データ格納部４３内の各モード、長波長受信時刻修正モード４３１、短波長受信時刻修正モード４３２、ＣＤＭＡ受信時刻修正モード４３３を、図６の受信可能電波選択データ記憶部５４に記憶されている順番で実行する。
例えば、中国の場合は、上述したように、受信可能電波選択データ記憶部５４内の受信可能電波は、長波長、短波長、ＣＤＭＡ信号、ＧＰＳ衛星信号の順に記憶されている。この順番は、上述したように、受信する際の消費電力の小さい順である。この順番で、受信して、時刻修正を行うことができれば、消費電力を低減しつつ、ローカルタイムや、サマータイムなど、その地域に対応した標準時刻の取得が可能となり、高精度の時刻修正が行えることとなるからである。
【００３５】
従って、図８のＳＴ６１１では、まず、消費電力の一番低い長波長の受信が可能か否かの判断を行う。この判断は、上述した受信可能電波選択データ記憶部５４内の記憶データに、長波長のデータがあるか否かで判断される。長波長のデータがない場合は、図９のＳＴ６１９に進み短波長の受信が可能か否かの判断に移る。この判断も、同様に、上述した受信可能電波選択データ記憶部５４内の記憶データに、短波長のデータがあるか否かで判断される。そして、ＳＴ６１９で短波長のデータがない場合は、ＳＴ６２６に進み、ＣＤＭＡ信号の受信が可能か否かの判断を行う。この判断も、上述した受信可能電波選択データ記憶部５４内の記憶データに、ＣＤＭＡ信号のデータがあるか否かで判断される。
【００３６】
次に、先に述べた、ＳＴ６１１に戻り、長波長の受信が可能であると判断された場合は、ＳＴ６１２に移り、受信可能電波選択時刻修正モード実行データ格納部４３から長波長受信時刻修正モード４３１を選択して、実行する。そして、ＳＴ６１３で、この長波長受信時刻修正モード４３１により、例えば中国では、長波長の発信局である、長波帯の標準周波時報局から発信されているＢＰＣの識別記号を持つ電波信号を、本実施の形態であるＧＰＳ付き腕時計１０のアンテナ１１ｂ（図２）で受信し、標準電波帯受信モジュール１９で制御部２０を介して、図６の受信電波コードデータ格納部５３に格納し、受信電波コードデータ５３１を得る。
【００３７】
そして、ＳＴ６１４で、ＳＴ６１３の受信電波コードデータ５３１が得られたか否かを判断し、得られなかった場合は、ＳＴ６１７に進み、再ＴＲＹするか、次の受信可能電波に移行するか否かを、ディスプレイ１４に表示し、ユーザーに知らせる。ＳＴ６１８でユーザーは、再ＴＲＹするか次の受信可能電波に移行するか否かの選択を行い、再ＴＲＹを選択した場合は、ＳＴ６１１に戻り、再び、長波長受信を行う。再ＴＲＹが選択されなかった場合は、図９のＳＴ６１９に移り、短波長受信時刻修正モード４３２により短波長の受信を開始していく。
ＳＴ６１４で、受信電波コードデータ５３１が得られた場合は、上述の図７のＳＴ８の動作でも説明したが、ＳＴ６１５に進み、取得したコードデータである受信電波コードデータ５３１に基づいて、図４の時刻表示修正プログラム３４を開始して、時刻修正データを生成し、時刻修正データ格納部５２に時刻修正データ５２１として格納される。そして、ＳＴ６１６で、時刻表示装置２１の時刻表示部１６の時刻表示が、この時刻修正データ５２１に基づいて修正され、表示され、終了する。
【００３８】
また、図９のＳＴ６１９で短波長の受信が可能であるか否かを判断し、可能である場合は、ＳＴ６２０に進み、受信可能電波選択時刻修正モード実行データ格納部４３から短波長受信時刻修正モード４３２を選択して、実行する。そして、ＳＴ６２１で、この短波長受信時刻修正モード４３２により、例えば中国では、短波長の発信局である、短波帯の標準周波時報局から発信されているＢＰＭの識別記号を持つ電波信号を、本実施の形態であるＧＰＳ付き腕時計１０のアンテナ１１ｂ（図２）で受信し、標準電波帯受信モジュール１９で制御部２０を介して、図６の受信電波コードデータ格納部５３に格納し、受信電波コードデータ５３１を得る。受信電波コードデータ５３１が得られなかった場合は、ＳＴ６２２を介してＳＴ６２３、６２４に進むが、これらの工程は、上述した図８のＳＴ６１４、ＳＴ６１７、ＳＴ６１８と同様であり、ＳＴ６２２に対応するＳＴ６１４、ＳＴ６２３に対応するＳＴ６１７、ＳＴ６２３に対応するＳＴ６１８であり、ＳＴ６２３で、再ＴＲＹが選択された場合は、ＳＴ６１９に戻る点と、再ＴＲＹが選択されない場合は、ＳＴ６２６に移行する点は異なる。
そして、ＳＴ６２２で受信電波コードデータ５３１が取得できた場合は、図８のＳＴ６１５、ＳＴ６１６の動作を行い、時刻表示装置２１の時刻表示部１６の時刻表示が、短波長の受信電波コードデータ５３１に基づく、時刻修正データ５２１に基づいて修正され、表示され、終了する。
【００３９】
そして、次に、ＳＴ６２６に進む場合は、ＣＤＭＡ信号の受信が可能か否かを判断する。このＳＴ６２６による判断が行われる場合は、上述した長波長受信時刻修正モード４３１および短波長受信時刻修正モード４３２により受信電波コードデータ５３１が取得できない場合や、長波長や短波長が受信可能電波として選択されていない地域であった場合など、様々な状況が考えられる。このＣＤＭＡ受信時刻修正モード４３３が実行され、表示時刻の修正が行われた場合は、当該地域における時刻情報の全てを精度よく取得でき、修正することができるので、好ましい。例えば、複数の時差を持つ米国などでは、時差やサマータイム適用地域など、場所により異なる。そして、この場合、サマータイムなどの時差情報等も含め、正確に修正することができる点でＣＤＭＡ信号の受信が好ましい。
【００４０】
次に、ＳＴ６２７に進み、ＧＰＳ付き腕時計１０の位置情報に基づく地域情報に基づいて、図５の受信可能電波時刻修正モード選択基準データ格納部４１内の地域対応受信可能周波数帯データ４１２を参照して、当該地域で受信可能なＣＤＭＡ信号の周波数帯を予め選択しておくと、可能性のある周波数帯域を全てスキャンする必要がないので、更に消費電力が低減でき好ましい。
たとえば、図１１でその一例を示す。通常、ＣＤＭＡ信号で、周波数帯を８００ＭＨｚと規定した場合であっても、大体７７０〜９６０ＭＨｚの帯域（以下、「通称８００ＭＨｚ帯」という）があり、使用地が未知であれば、全ての帯域をスキャンする必要がある。
ところが、例えば、図１１のように、国ごとで通称８００ＭＨｚ帯のどの周波数を利用しているか既知であれば、この情報も含めて、受信可能電波時刻修正モード選択基準データ格納部４１内に地域対応受信可能周波数帯データ４１２として格納しておき、ＣＤＭＡ受信時刻修正モード４３３が選択された際に、地域対応受信可能周波数帯データ４１２を参照して、どの周波数帯が当該地域で送信されているかを取得しておけば、即座にＣＤＭＡ信号の受信を開始できるので、消費電力も低減される。
従って、ＳＴ６２７では、予め地域対応受信可能周波数帯データ４１２を参照して、どの周波数帯域が送信されているかを取得する。
【００４１】
そして、次にＳＴ６２８に進み、図５のＣＤＭＡ受信時刻修正モード４３３を実行し、ＳＴ６２９で受信電波コードデータを取得して、受信電波コードデータ格納部５３の受信電波コードデータ５３１として格納する。そして、ＳＴ６３０で受信電波コードデータ５３１が取得できたか否かを判断し、取得できた場合は、上述した図８のＳＴ６１５に戻り時刻表示装置２１の時刻表示部１６の表示時刻の修正を行い、終了する。
ＳＴ６３０で、受信電波コードデータ格納部５３の受信電波コードデータ５３１が取得できなかった場合は、ＳＴ６３１に進み、再ＴＲＹまたは次の受信可能電波（ここではＧＰＳ衛星信号）に移行するか否かの表示を行い、ユーザーに選択させ、ＳＴ６３２で再ＴＲＹが選択された場合はＳＴ６２６に戻り、選択されなかった場合は、上述した図７のＳＴ９に進み、ＧＰＳ衛星信号から得られた測位データ格納部５１のデータにより、時刻修正を行う。
【００４２】
以上で、本発明の時刻修正は終了し、次の時刻修正のタイミングで、また、上述と同様な動作で、修正を行う。ただし、最初の図７のＳＴ１が実行されるのは、ＧＰＳ付き腕時計１０が大きく移動した場合であるので、一度上述した動作を行った後は、受信可能電波選択データ記憶部５４のデータに従って、電波信号の受信を行い、時刻修正情報である時刻修正データ５２１を生成し、時刻表示修正プログラム３４（表示時刻情報修正部）により、時刻表示装置２１の時刻表示部１６の表示時刻を修正する。
【００４３】
以上のように、本実施の形態によれば、ＧＰＳ付き腕時計１０は、その受信環境が大きく変化した場合に、ＧＰＳ衛星からの衛星信号を捕捉し、この捕捉したＧＰＳ衛星からの衛星信号を受信して、ＧＰＳ付き腕時計１０の位置情報を測位する測位部であるＧＰＳ受信装置と、この位置情報に基づき地域情報を取得して格納する測位位置データ格納部５１（地域情報取得部）と、地域情報に対応して受信可能な電波信号を選択する受信可能電波時刻修正モード選択プログラム３２（電波信号選択部）と、前記電波信号を受信するためのアンテナ１１（受信部）と、前記受信部で受信された前記電波信号の時刻情報に基づいて時刻修正データ５２１（時刻修正情報）を生成する受信可能電波時刻修正モード実行プログラム３３（時刻修正情報生成部）と、前記時刻修正情報に基づき表示時刻情報を修正する時刻表示修正プログラム３４（表示時刻情報修正部）と、を有し、前記受信部は、前記電波信号選択部で選択した前記電波信号を、受信可能電波選択データ記憶部５４の記憶順（前記電波信号の受信に要するための消費電力が低い順）に受信する構成となっている。
したがって、どのような使用地域であっても、計時装置の時刻表示を使用地域の標準時刻に自動的に修正でき、かつ、低電力が要求されるような場合でも問題なく時刻修正可能な、計時装置及び計時装置の時刻修正方法を提供するこができる。
【００４４】
本発明は、上述の実施の形態に限定されない。
【図面の簡単な説明】
【００４５】
【図１】本発明に係る計時装置である例えば、ＧＰＳ受信装置付き腕時計を示す概略図である。
【図２】図１のＧＰＳ受信装置付き腕時計の内部の主なハードウエア構成等を示す概略ブロック図である。
【図３】ＧＰＳ受信装置付き腕時計の主なソフトウエア構成等を示す概略全体図である。
【図４】図３の各種プログラム格納部を示す概略図である。
【図５】図３の第１データ記憶部を示す概略図である。
【図６】図３の第２データ記憶部を示す概略図である。
【図７】本実施の形態にかかるＧＰＳ受信装置付き腕時計の主な動作等を示す概略フローチャートである。
【図８】本実施の形態にかかるＧＰＳ受信装置付き腕時計の主な動作等を示す概略フローチャートである。
【図９】本実施の形態にかかるＧＰＳ受信装置付き腕時計の主な動作等を示す概略フローチャートである。
【図１０】図５の受信可能電波時刻修正モード選択基準データ格納部に格納されている受信可能電波／地域対応データの一例を示すデータ表である。
【図１１】図５の受信可能電波時刻修正モード選択基準データ格納部に格納されている地域対応受信可能周波数帯データの一例を示すデータ表である。
【符号の説明】
【００４６】
１０・・・ＧＰＳ受信装置付き腕時計、１１及び１１ａ乃至１１ｂ・・・アンテナ、１２・・・文字盤、１３・・・針、１５ａ乃至１５ｄ・・・ＧＰＳ衛星、１６・・・時刻表示部、１７・・・ユーザー操作部、１８・・・ＵＨＦ帯受信モジュール、１９・・・標準電波帯受信モジュール、２０・・・制御部、２１・・・時刻表示装置、２２乃至２４・・・記憶部、３０・・・各種プログラム格納部、３１・・・ＧＰＳ衛星捕捉プログラム、３２・・・受信可能電波時刻修正モード選択プログラム、３３・・・受信可能電波時刻修正モード実行プログラム、３４・・・時刻表示修正プログラム、３５・・・測位時刻データ／時刻修正プログラム、３６・・・測位位置時差情報取得プログラム、３７・・・マニュアル操作指示プログラム、４０・・・第１データ記憶部、４１・・・受信可能電波時刻修正モード選択基準データ格納部、４１１・・・受信可能電波／地域対応データ、４１２・・・地域対応受信可能周波数帯データ、４２・・・測位位置時差情報データ格納部、４２１・・・測位位置時差情報データ、４３・・・受信可能電波選択時刻修正モード実行データ格納部、４３１・・・長波長受信時刻修正モード、４３２・・・短波長受信時刻修正モード、４３３・・・ＣＤＭＡ受信時刻修正モード、５０・・・第２データ記憶部、５１・・・測位データ格納部、５１１・・・測位位置データ、５１２・・・測位時刻データ、５２・・・時刻修正データ格納部、５２１・・・時刻修正データ、５３・・・受信電波コードデータ格納部、５３１・・・受信電波コードデータ
【図１】
2008051697.tif 000003
【図２】
2008051697.tif 000004
【図３】
2008051697.tif 000005
【図４】
2008051697.tif 000006
【図５】
2008051697.tif 000007
【図６】
2008051697.tif 000008
【図７】
2008051697.tif 000009
【図８】
2008051697.tif 000010
【図９】
2008051697.tif 000011
【図１０】
2008051697.tif 000012
【図１１】
2008051697.tif 000013